(57)【要約】複数の床留金具によって床に取り付けられ、モノリシックコネクタブロックによって相互連結された隣接パネルを含んだ複数のモジュールを含む配膳厨房構造体。パネルは間隔を開けた２枚の薄板と、それらの間に配置された芯材とで形成されている。モジュールの１体は実質的に剛体である底部パネルと、上部薄板と、周辺フレーム部とによって形成された水平作業台を含んでいる。それぞれの床留金具はパネルの底部エッジ部に取り付けられた床留金具ブロックと床留金具ブロックに取り付けられた床置マウント部とを含んでおり、床置マウント部は床に設けられた床軌道部と係合するスタッド鋲を有している。コネクタブロックは接合面と周辺フランジ部とを有した本体と、本体に形成された作業開口部と、接合面を貫通し、作業開口部と連通するように形成された固定具用の穴部とを含んでいる。【選択図】図１
2009532276.tif 000002
【特許請求の範囲】
【請求項１】
配膳厨房構造体であって、複数の相互連結されたモジュールを含んでおり、それぞれの前記モジュールは間隔を開けた２枚の薄板と該薄板の間に配置された芯材とを含んだ１枚のパネルを含んでおり、
前記モジュールのうちの少なくとも１体は作業台を支持する作業デッキ部を形成するように水平に配置されたパネルを含んでおり、前記作業台は実質的に剛体である底部パネルと、上部薄板と、前記底部パネルと前記上部薄板との間に配置された周辺フレーム部とを含んでいることを特徴とする配膳厨房構造体。
【請求項２】
上部薄板は作業面と、該作業面の周囲に周辺部を形成する隆起リップ部とを形成しており、周辺フレーム部は中央開口部を有しており、該中央開口部は前記隆起リップ部の構造的支持を提供するために底部パネルと前記上部薄板との間に配置されていることを特徴とする請求項１記載の配膳厨房構造体。
【請求項３】
床に配膳厨房構造体を取り付けるための複数の床留金具をさらに含んでおり、それぞれの前記床留金具はパネルの底部エッジ部に隣接して該パネルに取り付けられた床留金具ブロックと、該床留金具ブロックに取り付けられた床置マウント部とを含んでおり、前記床置マウント部は配膳厨房構造体を床に固定させるために床に設けられた床軌道部と係合する少なくとも１体のスタッド鋲を有していることを特徴とする請求項１記載の配膳厨房構造体。
【請求項４】
ポケット部が薄板の一方と芯材とを貫通してパネルに形成されており、前記ポケット部は床留金具ブロックを前記パネルに固定させるために固定具を受領する挿入部を含んでいることを特徴とする請求項３記載の配膳厨房構造体。
【請求項５】
隣接パネル同士を相互連結するためのモノリシックコネクタブロックをさらに含んでおり、前記コネクタブロックは接合面と周辺フランジ部とを有した本体と、該本体に形成された作業開口部と、前記接合面を貫通し、前記作業開口部と連通するように形成された固定具用の穴部とを含んでいることを特徴とする請求項１記載の配膳厨房構造体。
【請求項６】
コネクタブロックは接着剤を使用して隣接パネルの１枚に形成された凹部内に接着され、接合面がパネルのエッジ部と面一となり、周辺フランジ部が前記パネルの薄板の一方に隣接するように配置されることを特徴とする請求項５記載の配膳厨房構造体。
【請求項７】
配膳厨房構造体であって、それぞれ少なくとも１枚のパネルを含んだ複数の相互連結されたモジュールと、配膳厨房構造体を床に取り付けるための複数の床留金具と、を含んでおり、
それぞれの前記床留金具はパネルの底部エッジ部に隣接して前記パネルに取り付けられている床留金具ブロックと該床留金具ブロックに取り付けられた床置マウント部とを含んでおり、前記床置マウント部は床に配膳厨房構造体を固定するために床に配置された床軌道部と係合する少なくとも１体のスタッド鋲を有していることを特徴とする配膳厨房構造体。
【請求項８】
パネルは間隔を開けた２枚の薄板と、該２枚の薄板間に配置された芯材とを含んでおり、前記薄板の一方および前記芯材を貫通して前記パネルにはポケット部が形成されており、前記ポケット部は前記パネルに床留金具ブロックを固定させる固定具を受領するための挿入部を含んでいることを特徴とする請求項７記載の配膳厨房構造体。
【請求項９】
挿入部は接着剤によってパネルのポケット部内に接着されており、内側に螺子溝が提供されていることを特徴とする請求項８記載の配膳厨房構造体。
【請求項１０】
床留金具ブロックの外面に取り付けられた床留金具カバー体と、パネルに固定された長形端部キャップ体とをさらに含んでおり、前記端部キャップ体は前記床留金具ブロックを収容するように形成されたスロット部を有することを特徴とする請求項７記載の配膳厨房構造体。
【請求項１１】
長形端部キャップ体に取り付けられた長形のシール部維持体をさらに含んでおり、前記シール部維持体は床上に密着するシール部を有していることを特徴とする請求項１０記載の配膳厨房構造体。
【請求項１２】
シール部はシール部維持体とで溝部を形成するＬ形断面を有していることを特徴とする請求項１１記載の配膳厨房構造体。
【請求項１３】
隣接パネル同士を相互連結するためのモノリシックコネクタブロックをさらに含んでおり、前記コネクタブロックは接合面と周辺フランジ部とを有した本体と、該本体に形成された作業開口部と、前記接合面を貫通し、前記作業開口部と連通するように形成された固定具用の穴部とを含んでいることを特徴とする請求項７記載の配膳厨房構造体。
【請求項１４】
コネクタブロックは接着剤を使用して隣接パネルの１枚に形成された凹部内に接着され、接合面がパネルのエッジ部と面一となり、周辺フランジ部が前記パネルの薄板の一方に隣接するように配置されることを特徴とする請求項１３記載の配膳厨房構造体。
【請求項１５】
固定具は作業開口部に挿入されてコネクタブロックの固定具用の穴部を貫通し、続いて隣接パネル同士を相互連結するように他方の前記隣接パネルに挿入されることを特徴とする請求項１４記載の配膳厨房構造体。
【請求項１６】
配膳厨房構造体であって、それぞれ少なくとも１枚のパネルを含んだ複数の相互連結されたモジュールと、隣接パネル同士を相互連結するためのモノリシックコネクタブロックとを含んでおり、
前記コネクタブロックは接合面と周辺フランジ部とを有した本体と、該本体に形成された作業開口部と、前記接合面を貫通し、前記作業開口部と連通するように形成された固定具用の穴部とを含んでいることを特徴とする配膳厨房構造体。
【請求項１７】
パネルは間隔を開けた２枚の薄板と、該２枚の薄板間に配置された芯材とを含んでおり、コネクタブロックは接着剤を使用して隣接パネルの１枚に形成された凹部内に接着され、接合面が前記パネルのエッジ部と面一となり、周辺フランジ部が前記パネルの薄板の一方に隣接するように配置されることを特徴とする請求項１６記載の配膳厨房構造体。
【請求項１８】
固定具は作業開口部に挿入されてコネクタブロックの固定具用の穴部を貫通し、続いて隣接パネル同士を相互連結するように他方の前記隣接パネルに挿入されることを特徴とする請求項１７記載の配膳厨房構造体。
【請求項１９】
配膳厨房構造体を床に取り付けるための複数の床留金具を含んでおり、それぞれの前記床留金具はパネルの底部エッジ部に隣接して前記パネルに取り付けられている床留金具ブロックと該床留金具ブロックに取り付けられた床置マウント部とを含んでおり、前記床置マウント部は床に配膳厨房構造体を固定するために床に配置された床軌道部と係合する少なくとも１体のスタッド鋲を有していることを特徴とする請求項１６記載の配膳厨房構造体。
【請求項２０】
パネルは間隔を開けた２枚の薄板と、該２枚の薄板間に配置された芯材とを含んでおり、前記薄板の一方および前記芯材を貫通して前記パネルにはポケット部が形成されており、前記ポケット部は前記パネルに床留金具ブロックを固定させる固定具を受領するための挿入部を含んでいることを特徴とする請求項１９記載の配膳厨房構造体。
【発明の詳細な説明】
【技術分野】
【０００１】
本発明は一般的に航空機内の装備品に関し、特には航空機用の配膳厨房構造体に関する。また、本願は２００６年４月３日出願の米国仮特許願６０/７４４１４８の優先権を主張する。
【背景技術】
【０００２】
旅客機はしばしば食事の準備のための配膳厨房台を含んでいる。配膳厨房台は保管領域、オーブン、流し台、コーヒーメーカ等々の特徴を内蔵しており、通常は個別パネルによって仕切ることで構築されており、それらを一般的にモジュールと呼称する。そのようなモジュールが容易で迅速に相互連結できるものであり、それらモジュールの少なくとも１体が、航空機の床に配膳厨房台を取り付けるために配膳厨房台と航空機の床との間に効果的なシール部を形成する床留金具を含んでいることが望ましい。
【発明の開示】
【発明が解決しようとする課題】
【０００３】
本発明は少ない部材数で安価に配膳厨房台を構築するためのいくつかの特徴を提供する。本発明の主要な目的は作業面を形成する水平作業台を有した少なくとも１体のモジュールと、隆起リップ部を有した作業面の周囲の周辺部とを含んだ配膳厨房台を提供することである。
【０００４】
本発明の別目的は容易で迅速に相互連結可能な複数のモジュールを含んだ配膳厨房台を提供することである。本発明のさらに別目的は航空機の床に配膳厨房台を取り付けるために配膳厨房台と航空機の床との間に効果的なシール部を形成する床留金具を含んだ少なくとも１体のモジュールを提供することである。
【課題を解決するための手段】
【０００５】
１つの特徴によれば本発明は複数の相互連結されたモジュールを含んだ配膳厨房構造体を提供する。それぞれのモジュールは間隔を開けた２枚の薄板と、それらの間に配置された芯材とで形成されている少なくとも１枚のパネルを含んでいる。これらモジュールのうちの少なくとも１体は作業台を支持する作業デッキ部を形成するように水平に配置されたパネルを含む。
【０００６】
作業台は実質的に剛体である底部パネル、上部薄板および底部パネルと上部薄板との間に配置された周辺フレーム部を含んでいる。本発明の１実施例においては、上部薄板は作業面と、作業面の周囲に周辺部を形成する隆起リップ部とを形成する。周辺フレーム部は中央開口部を有しており、隆起リップ部の構造的支持を提供するために底部パネルと上部薄板の隆起リップ部との間に配置されている。
【０００７】
本発明の他の実施例では配膳厨房造体は床に配膳厨房構造体を取り付けるための複数の床留金具をさらに含んでいる。それぞれの床留金具はパネルの底部エッジ部に隣接してパネルに取り付けられた床留金具ブロックと、床留金具ブロックに取り付けられた床置マウント部とを含む。床置マウント部は配膳厨房構造体を床に固定させるために床に設けられた床軌道部と係合する少なくとも１体のスタッド鋲を有している。薄板の一方と芯材とを貫通してポケット部がパネルに形成されている。ポケット部は床留金具ブロックをパネルに固定させるために固定具を受領する挿入部を含んでいる。
【０００８】
本発明のさらに別実施例では配膳厨房構造体は隣接パネル同士を相互連結するためにモノリシックコネクタブロックをさらに含む。このコネクタブロックは接合面と周辺フランジ部とを有した本体と、本体に形成された作業開口部と、接合面を貫通し、作業開口部と連通するように形成された固定具用の穴部とを含む。コネクタブロックは接着剤を使用して隣接パネルの１枚に形成された凹部内に接着され、接合面がパネルのエッジ部と面一となり、周辺フランジ部がパネルの薄板の一方に隣接するように配置される。
【０００９】
本発明の別特徴では本発明はそれぞれ少なくとも１枚のパネルを含んだ複数の相互連結されたモジュールを含む配膳厨房構造体を提供する。配膳厨房構造体は配膳厨房構造体を床に取り付けるための複数の床留金具をさらに含んでいる。それぞれの床留金具はパネルの底部エッジ部に隣接してパネルに取り付けられている床留金具ブロックと、床留金具ブロックに取り付けられた床置マウント部とを含んでいる。床置マウント部は床に配膳厨房構造体を固定するために床に設置された床軌道部と係合する少なくとも１体のスタッド鋲を有している。
【００１０】
本発明の別実施例ではパネルは間隔を開けた２枚の薄板と、それら薄板間に配置された芯材とを含んでおり、薄板の一方および芯材を貫通してパネルにはポケット部が形成されている。ポケット部はパネルに床留金具ブロックを固定させる固定具を受領するための挿入部を含んでいる。好適には挿入部は接着剤によってパネルのポケット部内に接着されている。挿入部は内側に螺子溝が提供されており、外側に螺子溝を有する固定具を受領して固定する。
【００１１】
本発明のさらに別実施例では配膳厨房台は床留金具ブロックの外面に取り付けられた床留金具カバー体と、パネルに固定された長形端部キャップ体とをさらに含んでいる。端部キャップ体は床留金具ブロックを収容するように形成されたスロット部を有する。長形のシール部維持体が端部キャップ体に取り付けられている。シール部維持体は床上に密着するシール部を有している。好適にはシール部はシール部維持体とで溝部を形成するＬ形断面を有している。
【００１２】
本発明のさらに別な特徴では本発明はそれぞれ少なくとも１枚のパネルを含んだ複数の相互連結しているモジュールを含む配膳厨房構造体を提供する。配膳厨房構造体は隣接パネル同士を相互連結させるモノリシックコネクタブロックをさらに含んでいる。コネクタブロックは接合面と周辺フランジ部とを有する本体と、本体に形成された作業開口部と、接合面を貫通し、作業開口部と連通する固定具用の穴部とを含んでいる。
【００１３】
本発明の別実施例ではパネルは２枚の間隔を開けた薄板と、これら薄板間に配置された芯材とで形成されており、コネクタブロックは接着剤を利用して隣接パネルの一方に形成された凹部内に接着されている。コネクタブロックは接合面がパネルのエッジ部と面一になり、周辺フランジ部がパネルの薄板の一方に隣接するように配置される。固定具は作業開口部に挿入されてコネクタブロックの固定具用の穴部を貫通し、続いて隣接パネル同士を相互連結するように他方の隣接パネルに挿入される。
【発明を実施するための最良の形態】
【００１４】
本発明の主題は添付図面を利用した以下の発明の詳細な説明から十分に理解されるであろう。
【００１５】
図１から図３は航空機用配膳厨房構造体１０を図示しており、同一の符号は同一要素を指している。本発明の配膳厨房構造体は列車等の他の乗物にも同様に利用でき、その他の内装設備にも利用できる。
【００１６】
配膳厨房構造体１０は複数のモジュール構造体から構成されており、それぞれのモジュール構造体は固定具または接着剤等によって適切な手段で連結されたパネル１２を含んでいる。さらに好適には後述するコネクタブロック６８によって連結されている。パネル１２は図面において“Ａ”、“Ｂ”および“Ｃ”と表示された機能別モジュールを形成するように設計されている。
【００１７】
実施例ではそれぞれのパネル１２はハニカム構造芯材１４を有しており、薄板１６と１８がその両側に接着されている（図８）。芯材１４および薄板１６と１８の両方に適する材料の例にはフェノール樹脂、ノメックス（登録商標）、及びアルミニウムが含まれるがこれらに限定されない。その後にパネル１２は機械的処理等によって所望の形状や大きさに形成される。パネル１２の露出したエッジ部は従来式に縁部処理されて良好な外観を提供する。
【００１８】
パネル１２の１枚は水平に配置されて作業デッキ部２２を形成している。作業デッキ部２２は配膳厨房構造体１０のモジュールＡの内部を覆っており、保管または食事の準備のための作業面２６を支持している。図２に示すように、作業台２４が作業デッキ部２２上に配置されている。作業台２４は好適には周囲に隆起リップ部２８を備えた作業面２６（図４）と、作業面を通過する流し台排水口３０を有している。作業台２４は、流し台３２（図１）とその関連固定具のみによって作業デッキ部２２に固定されている。必要に応じて追加の固定具を利用してもよい。
【００１９】
図５は作業台２４をさらに詳細に図示している。作業台２４は作業デッキ部２２の形状と大きさに概ね整合する剛性の底部パネル３４を有している。中央開口部３８を備えた直立した周辺フレーム部３６が、例えば固定具あるいは接着剤によって底部パネル３４の上面に取り付けられている。作業面２６を提供する上部薄板４０が周辺フレーム部３６と底部パネル３４の上に配置されている。
【００２０】
上部薄板４０は相対的に薄く、前述の隆起リップ部２８を定義する突出エッジ部を有している。周辺フレーム部３６の存在が隆起リップ部２８の構造的補強を提供している。上部薄板４０はプラスチック、ステンレススチール、アルミニウム等の清潔であり美化が容易な材料で製造されている。
【００２１】
図６から図８は航空機の床に配膳厨房構造体１０を取り付ける方法を図示している。複数の床留金具ブロック４２がパネル１２の底部エッジ部に隣接してパネル１２に取り付けられる。マッシュルーム状頭部のスタッド鋲４６を有する床置マウント部４４を床留金具ブロック４２に取り付ける。スタッド鋲４６は配膳厨房構造体１０を床に固定するために従来式の床軌道部（図示せず）と係合する。
【００２２】
図８に示した実施例では、内側に螺子溝が提供された筒穴部５０を備えた複数の剛性挿入部４８がパネル１２内に押し込められている。すなわち薄板１６の一方と芯材１４とを貫通してポケット部５２がパネル１２に形成されている。その後にポケット部５２と挿入部４８との間の隙間に充填する適切な接着剤５４を用いて挿入部４８をパネル１２に接着する。その後に螺子５５またはその他の適した固定具を床留金具ブロック４２の孔５６に貫通させて筒穴部５０に固定（すなわち螺合）する。
【００２３】
床留金具ブロック４２の外面には床留金具カバー体５８が取り付けられており、漏れを防止して良好な外見を提供する。アルミニウム等を押出成型した長形端部キャップ体６０がパネル１２に固定されており、床留金具ブロック４２を収容するように形成されたスロット部６２を含んでいる。端部キャップ体６０は端部ポスト部６３によって一端または両端が閉鎖されている。
【００２４】
長形のシール部維持体６４が端部キャップ体６０に取り付けられており、航空機の床上に密着するシール部６６を有している。この実施例では、シール部６６はＬ形断面を有しており、その１体はシール部維持体６４に溝部６９を形成している。図７に示すように完全に組立てられたとき、パネル１２の片側から他側への液体や屑の漏出が防止され、床置マウント部４４の作業部分への漏出も防止される。
【００２５】
図９Ａと図９Ｂはそれぞれ配膳厨房構造体１０のモジュールＢの前方と後方を図示している。図９Ｂはパネル１２の一方の下方部に取り付けられた床留金具カバー体５８、シール部維持体６４およびシール部６６を示している。
【００２６】
配膳厨房構造体１０の多様なパネル１２（およびモジュールＡ、Ｂ並びにＣ）は典型的には接着剤および/または固定具を用いて相互連結され、剛性構造体を提供している。組立パネル１２に固定具を用いるため、頑丈な取り付け部分を提供して固定具の荷重を分散させなければならない。従来の配膳厨房台ではこれはパネル１２にブロック挿入口を設けたり、１枚以上のシート状ダブラーを提供することで行なわれていた。この形態では複数の部材と組立ステップを必要とする。
【００２７】
本発明の配膳厨房構造体１０の実施例では、単体のコネクタブロック（図１０）を隣接パネル１２間の端部同士の接合が必要である各位置に提供する。図１０と図１１に示すように、コネクタブロック６８は、接合面７２と周辺フランジ部７４とを有した本体７０を含んだモノリシック構造（鋳造、鍛造、機械加工等）である。本体７０には作業開口部７６が形成されており、固定具用の穴部７８が接合面７２を貫通して作業開口部７６と連通している。
【００２８】
コネクタブロック６８はパネル１２に形成された凹部８０内に接着剤等によって接着される。コネクタブロック６８は、接合面７２が隣接パネル１２に接触するパネル１２のエッジ部と面一となるか、あるいはパネルのエッジ部を封止する成型加工部と面一となるように配置される。周辺フランジ部７４はパネルの薄板１６の一方に隣接して別体のダブラーを用いることなくパネル１２を補強する。コネクタブロック６８が設置されると、ボルトや螺子（図示せず）等の固定具が作業開口部７６に挿入され、固定具用の穴部７８を貫通し、続いて隣接パネル１２に挿入されて螺合される。
【００２９】
以上、少ない部材数で安価に提供できる配膳厨房構造体について説明した。本発明の特定の実施例について説明したが、当業者であれば本発明の範囲から逸脱することなく本発明の細部を変更することができる。従って前述の本発明の好適実施例および最良実施態様の説明は本発明の説明の目的のみに提供されたものであって本発明を限定するものではない。
【図面の簡単な説明】
【００３０】
【図１】本発明により構築された配膳厨房構造体の前方斜視図である。
【図２】いくつかの個別モジュールに分解された状態の図１の配膳厨房構造体の前方斜視図である。
【図３】図１の配膳厨房構造体の別分解斜視図である。
【図４】本発明に従った配膳厨房構造体の作業台の斜視図である。
【図５】図４で示す作業台の分解斜視図である。
【図６】本発明に従った配膳厨房構造体の床留金具構造の斜視図である。
【図７】図６で示す床留金具構造の分解斜視図である。
【図８】配膳厨房構造体のモジュールの１つのパネルの一部断面図であり、そこに配置された挿入部を示している。
【図９Ａ】配膳厨房構造体のモジュールの１つの後方斜視図である。
【図９Ｂ】図９Ａで示すモジュールの前方斜視図である。
【図１０】本発明による配膳厨房構造体にて使用するコネクタブロックの斜視図である。
【図１１】配膳厨房構造体のパネルに配置された図１０で示すコネクタブロックの断面図である。
【図１】
2009532276.tif 000003
【図２】
2009532276.tif 000004
【図３】
2009532276.tif 000005
【図４】
2009532276.tif 000006
【図５】
2009532276.tif 000007
【図６】
2009532276.tif 000008
【図７】
2009532276.tif 000009
【図８】
2009532276.tif 000010
【図９Ａ】
2009532276.tif 000011
【図９Ｂ】
2009532276.tif 000012
【図１０】
2009532276.tif 000013
【図１１】
2009532276.tif 000014
【国際調査報告】
2009532276.tif 000015
2009532276.tif 000016